(57)【特許請求の範囲】
【請求項１】
電磁石ブロックの励磁、非励磁によって揺動する接極子と、可動接点を有し、前記接極子に取り付けられて当該接極子の揺動に伴って揺動する可動接点部と、前記可動接点が接離する固定接点を有する固定接点部と、を備える電磁リレーであって、
前記電磁リレーには、前記可動接点と前記固定接点とが接離する際に生じるアークを伸長させるアーク伸長空間が形成されており、
前記可動接点と前記固定接点とが接離する際に生じるアークを、前記アーク伸長空間に導く磁界発生手段が設けられており、
前記可動接点部が、絶縁部を介して前記接極子に取り付けられており、
前記可動接点部は、前記絶縁部から下方に向けて延在する第１の延設片と、当該第１の延設片の先端から第１の延設片と交差する方向に延設された第２の延設片と、当該第２の延設片の先端から上側に延設された第３の延設片と、を備えており、
前記第３の延設片に前記可動接点が形成されており、
前記アーク伸長空間は、側壁と前記第１の延設片側に設けられた壁部とによって画成されており、
前記壁部の下側に形成されて、前記第３の延設片が挿入可能な開口部であって、前記絶縁部の下方に配置された開口部を有していることを特徴とする電磁リレー。
【請求項２】
前記アーク伸長空間内にアーク消弧部が設けられていることを特徴とする請求項１に記載の電磁リレー。
【請求項３】
前記アーク伸長空間を分割する分離壁を設けたことを特徴とする請求項１または２に記載の電磁リレー。
【請求項４】
前記アーク伸長空間と面する壁面に凹凸部を設けたことを特徴とする請求項１〜３のうち何れか１項に記載の電磁リレー。
【請求項５】
前記凹凸部は、前記アークの伸長方向に沿って形成されていることを特徴とする請求項４に記載の電磁リレー。
【発明の詳細な説明】
【技術分野】
【０００１】
本発明は、電磁リレーに関する。
【背景技術】
【０００２】
従来、電磁リレーとして、電磁石ブロックの励磁、非励磁によって揺動する接極子と、可動接点を有し、接極子の揺動に伴って揺動する可動接点部と、可動接点が接離する固定接点を有する固定接点部と、を備えるものが知られている（例えば、特許文献１参照）。
【先行技術文献】
【特許文献】
【０００３】
【特許文献１】特開２０１０−１２３５４５号公報
【発明の概要】
【発明が解決しようとする課題】
【０００４】
しかしながら、上記従来の電磁リレーでは、例えば、電磁リレーに４００Ｖの高電圧の直流電圧を印加すると、可動接点と固定接点とが接離する際に発生するアークを遮断することができないという問題があった。このように、発生したアークを遮断することができない場合、当該アークによって可動接点と固定接点とが溶着してしまい、接点の信頼性を損ねてしまうおそれがあった。
【０００５】
そこで本発明は、接点の信頼性を損ねてしまうのを抑制することのできる電磁リレーを得ることを目的とする。
【課題を解決するための手段】
【０００６】
本発明の第１の特徴は、電磁石ブロックの励磁、非励磁によって揺動する接極子と、可動接点を有し、前記接極子に取り付けられて当該接極子の揺動に伴って揺動する可動接点部と、前記可動接点が接離する固定接点を有する固定接点部と、を備える電磁リレーであって、前記電磁リレーには、前記可動接点と前記固定接点とが接離する際に生じるアークを伸長させるアーク伸長空間が形成されており、前記可動接点と前記固定接点とが接離する際に生じるアークを、前記アーク伸長空間に導く磁界発生手段が設けられており、前記可動接点部が、絶縁部を介して前記接極子に取り付けられており、前記可動接点部は、前記絶縁部から下方に向けて延在する第１の延設片と、当該第１の延設片の先端から第１の延設片と交差する方向に延設された第２の延設片と、当該第２の延設片の先端から上側に延設された第３の延設片と、を備えており、前記第３の延設片に前記可動接点が形成されており、前記アーク伸長空間は、側壁と前記第１の延設片側に設けられた壁部とによって画成されており、前記壁部の下側に形成されて、前記第３の延設片が挿入可能な開口部であって、前記絶縁部の下方に配置された開口部を有していることを要旨とする。
【０００７】
本発明の第２の特徴は、前記アーク伸長空間内にアーク消弧部が設けられていることを要旨とする。
【００１０】
本発明の第３の特徴は、前記アーク伸長空間を分割する分離壁を設けたことを要旨とする。
【００１１】
本発明の第４の特徴は、前記アーク伸長空間と面する壁面に凹凸部を設けたことを要旨とする。
【００１２】
本発明の第５の特徴は、前記凹凸部は、前記アークの伸長方向に沿って形成されていることを要旨とする。
【発明の効果】
【００１３】
本発明によれば、電磁リレーに、可動接点と固定接点とが接離する際に生じるアークを伸長させるアーク伸長空間を形成している。さらに、電磁リレーに、可動接点と固定接点とが接離する際に生じるアークを、アーク伸長空間に導く磁界発生手段を設けている。かかる構成とすることで、可動接点と固定接点とが接離する際に発生するアークをより確実に遮断することができるため、接点の信頼性を損ねてしまうのを抑制することができる。
【図面の簡単な説明】
【００１４】
【図１】本発明の第１実施形態にかかる電磁リレーを示す正面図である。
【図２】本発明の第１実施形態にかかる電磁リレーのカバーを示す斜視図である。
【図３】本発明の第１実施形態にかかる電磁リレーのカバーを取り除いた状態を示す斜視図である。
【図４】図１のＡ−Ａ断面図である。
【図５】図３の磁気遮断ヨークおよびアーク消弧部を一部取り除いた状態を示す斜視図である。
【図６】本発明の第１実施形態にかかる電磁リレーの一部を取り除いた図であって、可動接点部および固定接点部を示す斜視図である。
【図７】図４のＢ−Ｂ断面図である。
【図８】本発明の第２実施形態にかかる電磁リレーの縦断面図である。
【図９】本発明の第３実施形態にかかる電磁リレーの縦断面図である。
【図１０】本発明の第４実施形態にかかる電磁リレーの縦断面図である。
【図１１】本発明の第５実施形態にかかる電磁リレーの縦断面図である。
【図１２】本発明の第６実施形態にかかる電磁リレーの縦断面図である。
【発明を実施するための形態】
【００１５】
以下、本発明の実施形態について図面を参照しつつ詳細に説明する。なお、以下では、電磁リレーの電磁石ブロックが形成される側を前後方向前側、可動接点部および固定接点部が設けられている側を前後方向後側と規定する。また、ケースが取り付けられる方向を上下方向と規定する。そして、前後方向および上下方向と直交する方向を幅方向と規定する。
【００１６】
また、以下の複数の実施形態には、同様の構成要素が含まれている。よって、以下では、それら同様の構成要素には共通の符号を付与するとともに、重複する説明を省略する。
【００１７】
（第１実施形態）
本実施形態にかかる電磁リレー１は、ケース２、ベース３０、電磁石ブロック１０、接極子１６、可動接点部２１および固定接点部２２を備えている。
【００１８】
ベース３０は、絶縁材料である合成樹脂によって形成されており、略中央部に、平面視で略コ字状の絶縁壁３１を備えている。この絶縁壁３１の前面側（図７の左側）には、電磁石ブロック１０を収納する電磁石収納部３４が形成されている。一方、後面側（図７の右側）には、壁部３２が設けられており、絶縁壁３１と壁部３２によって囲まれた接点収納部３３が形成されている。接点収納部３３には、可動接点部２１および固定接点部２２が配設される。また、絶縁壁３１は、電磁石ブロック１０と接点部（可動接点部２１および固定接点部２２）とを遮断する作用を有している。
【００１９】
電磁石ブロック１０は、継鉄１４、コイルブロック１１および鉄心１５で構成されている。
【００２０】
継鉄１４は、略Ｌ字状に折り曲げ形成されており、継鉄１４の底板１４ａ上にはコイル１２をコイルボビン１３に巻装することで形成されるコイルブロック１１が載置されている。また、コイル１２は絶縁ボディ３０に植設されるコイル端子１９に接続される。鉄心１５は、胴部１５ｂと、胴部１５ｂの頭部に配置された鍔状の吸着片１５ａと、を備えており、胴部１５ｂをコイルボビン１３の貫通孔１３ａに通した状態で、継鉄１４の底板１４ａの取付孔１４ｂに固定されている。
【００２１】
接極子１６は、磁極片１６ａと垂設片１６ｂとを備えており、磁極片１６ａと垂設片１６ｂとでＬ字状に形成されている。本実施形態では、接極子１６は、側面視で、磁極片１６ａが上部かつ略水平方向に延在し、垂設片１６ｂが下部かつ略垂直方向に延在するように逆Ｌ字状に配置されている。そして、継鉄１４の上端両側から突設された挟持片１４ｃが磁極片１６ａの両側に形成された切欠き凹所１６ｃに係合することで、接極子１６が揺動自在に支承される。この接極子１６の磁極片１６ａは、鉄心１５の吸着片１５ａに対向する位置に配置されている。
【００２２】
ヒンジばね１８は、接極子１６と継鉄１４との間に介装されており、上部に、後述する絶縁部１７の上部を押圧するばね片１８ａが形成されている。そして、コイル１２への非通電時（電磁石ブロック１０の非励磁時）には、このばね片１８ａの押圧力によって、接極子１６の磁極片１６ａが鉄心１５の吸着片１５ａから引き離された状態で保持される。一方、コイル１２への通電時（電磁石ブロック１０の励磁時）には、鉄心１５の吸着片１５ａの磁力がばね片１８ａの押圧力に勝って、接極子１６の磁極片１６ａが鉄心１５の吸着片１５ａに接触する。
【００２３】
そして、このような接極子１６の動作（揺動）に応じて揺動する可動接点部２１が、絶縁部１７を介して接極子１６の垂設片１６ｂに取り付けられている。
【００２４】
この可動接点部２１には可動接点２１ａが設けられており、可動接点部２１の揺動に応じて可動接点２１ａが固定接点部２２に設けられた固定接点２２ａと接離することで、接点切換が行われる。
【００２５】
本実施形態では、可動接点部２１は、絶縁部１７を介して接極子１６の垂設片１６ｂに取り付けられる固定片２３と、２つの可動接点２１ａ、２１ａが設けられた可動接点板２５と、この可動接点板２５を固定片２３に連結する可動ばね２４と、を備えている。
【００２６】
具体的には、可動接点板２５は、上下方向に延在して可動ばね２４に連結される連結片２５ａと、連結片２５ａの下端から水平方向かつ後方に延設される底板２５ｂと、底板２５ｂの後端から上方に向けて立ち上がる立ち上がり片２５ｃと、を備えている。
【００２７】
そして、立ち上がり片２５ｃに、可動接点２１ａが後方を向くように固着されている。本実施形態では、底板２５ｂは、二股に分岐した形状をしており、各分岐部分の後端にそれぞれ立ち上がり片２５ｃが形成されている。このような可動接点部２１とすることで、可動接点２１ａが絶縁部１７よりも後方に突出した状態となり、可動接点２１ａと絶縁部１７が平面視でオーバーラップしないようになる。
【００２８】
そして、この固定片２３、可動ばね２４および可動接点板２５は、図６に示すように、それぞれ２組設けられている。すなわち、本実施形態の電磁リレー１には４つの可動接点２１ａが設けられていることとなる。
【００２９】
そして、固定接点部２２は、固定接点２２ａが１つずつ固着された４個の固定接点板２６で構成されており、ベース３０の接点収納部３３に取り付けられている。
【００３０】
具体的には、図７に示すように、固定接点板２６は、クランク状に折り曲げ形成されており、この固定接点板２６の一端に、固定接点２２ａが固着されている。なお、固定接点板２６は、必ずしもクランク状に折り曲げ形成させる必要はなく様々な形状とすることができる。例えば、折り曲げ形成されていない、側面視で直線状の固定接点板を用いることも可能である。
【００３１】
そして、固定接点２２ａが上部かつ後方に位置する状態で、固定接点板２６を接点収納部３３に下方から挿入することで、固定接点板２６がベース３０の接点収納部３３に取り付けられている。このとき、４個の固定接点板２５は、４つの固定接点２２ａが４つの可動接点２１ａにそれぞれ対向するように取り付けられている。そして、コイル１２への非通電時（電磁石ブロック１０の非励磁時）には、４つの固定接点２２ａと４つの可動接点２１ａとが、ベース３０の接点収納部３３の後面側（図７の右側）に離間して配設されるようにしている。一方、コイル１２への通電時（電磁石ブロック１０の励磁時）に、可動接点部２１が揺動した際には、４つの可動接点２１ａが、互いに対向する４つの固定接点２２ａに接近して当接するようになっている。
【００３２】
ここで、本実施形態では、電磁リレー１に、可動接点２１ａと固定接点２２ａとが接離する際に生じるアークを伸長させるアーク伸長空間Ｓを形成している。
【００３３】
具体的には、図２に示すように、ケース２の内側に、壁部２ａおよび側壁２ｂを設けている。そして、各部材を取り付けたベース３０をケース２で覆った際に、一対の対応する可動接点２１ａおよび固定接点２２ａ（互いに接離する接点）が壁部２ａおよび側壁２ｂで囲われるようにしている。本実施形態では、この壁部２ａ、側壁２ｂで仕切られた空間がアーク伸長空間Ｓとなっている。このとき、壁部２ａによって固定接点２２ａと絶縁部１７とが画成されることとなる。
【００３４】
さらに、電磁リレー１には、可動接点２１ａと固定接点２２ａとが接離する際に生じるアークを、アーク伸長空間Ｓに導く永久磁石（磁界発生手段）５０が設けられている。この永久磁石５０は、図４および図５に示すように、対になる可動接点２１ａおよび固定接点２２ａの幅方向一端側に上下に延在するように設けられている。そして、可動接点２１ａと固定接点２２ａとが接離する際に生じるアークが、永久磁石５０の磁気作用によってアーク伸長空間Ｓの上方に引き伸ばされるようにしている。
【００３５】
さらに、アーク伸長空間Ｓ内の少なくとも固定接点部２２の周囲に、固定接点２２ａが収容されるようにアーク消弧部４０を設けている。本実施形態では、このアーク消弧部４０は、下方に開口した箱型をしており、固定接点２２ａを覆うようにアーク伸長空間Ｓ内に挿入されている。なお、アーク消弧部４０の天壁４２には、アークがアーク伸長空間Ｓ内に入り込みやすくなるように、小さな開口４２ａが形成されている。
【００３６】
さらに、アーク消弧部４０は、アークが当接した際に、アーク消弧性ガスを発生しうる絶縁材料で形成されている。このアーク消弧部４０を組成する絶縁材料としては、不飽和ポリエステルや、鎖式化合物に金属水酸化物または水和物を添加したものが好ましい。
【００３７】
そして、接点（対になる可動接点２１ａおよび固定接点２２ａ）を覆うように収容するアーク消弧部４０および永久磁石５０は、磁気遮断ヨーク６０によって、上方および幅方向両端が覆われている。この磁気遮断ヨーク６０は、ある接点に作用させる永久磁石５０が他の接点に作用するのを抑制するためのものである。
【００３８】
また、可動接点２１は、接極子１６の垂設片１６ｂから下方（一端）に向けて延在する第１の延設片２１ｂと、当該第１の延設片２１ｂの先端から後方（第１の延設片２１ｂと公差する方向）に延設された第２の延設片２１ｃと、を備えている。さらに、第２の延設片２１ｃの先端から上側（他端側）に延設された第３の延設片２１ｄと、を備えており、この第３の延設片２１ｄに可動接点２１ａが形成されている。
【００３９】
本実施形態では、第１の延設片２１ｂは、固定片２３と可動ばね２４と連結片２５ａとで構成されている。また、第２の延設片２１ｃは、底板２５ｂで構成されており、第３の延設片２１ｄは、立ち上がり片２５ｃで構成されている。
【００４０】
また、アーク伸長空間Ｓを画成する壁部（壁部２ａ、側壁２ｂおよびケース２の側壁）のうち第１の延設片２１ｂ側に設けられた壁部２ａの下側には、第３の延設片２１ｄが挿入可能な開口部が形成されている。
【００４１】
具体的には、壁部２ａの下側およびアーク消弧部４０の前壁４１の下側に、開口部２ｃおよび開口部４１ａをそれぞれ形成することで、可動接点２１ａが形成された第３の延設片２１ｄをアーク伸長空間Ｓ内に挿入できるようにしている。
【００４２】
次に、かかる構成の電磁リレー１の接点動作について説明する。
【００４３】
この電磁リレー１は、電磁石ブロック１０が非励磁の状態のときには、ヒンジばね１８のばね片１８ａが絶縁部１７の上面を押圧しているため、接極子１６は図７における時計回り方向に回動している。そのため、接極子１６の磁極片１６ａは鉄心１５の吸着片１５ａから開離した状態となっている。この状態では、図７に示すように、可動接点２１ａと固定接点２２ａも開離している。
【００４４】
そして、コイル１２へ通電して電磁石ブロック１０を励磁させると、継鉄１４、鉄心１５および接極子１６を通して、接極子１６の磁極片１６ａを鉄心１５の吸着片１５ａに吸引する磁力が発生する。このとき、接極子１６の磁極片１６ａは、ヒンジばね１８のばね力（押圧力）に抗して鉄心１５の吸着片１５ａに吸引され、接極子１６が図７における反時計回り方向に回動する。これにともなって可動接点板２３も反時計回り方向に移動し、４つの可動接点２１ａはそれぞれ、対向する固定接点２２ａに接触する。
【００４５】
そして、コイル１２への通電を停止すると、逆の動作が行われて、可動接点２１ａと固定接点２２ａが開離する。
【００４６】
このように、コイル１２への通電のオン・オフを切り換えることで、可動接点２１ａと固定接点２２ａとが接離することとなり、可動接点２１ａと固定接点２２ａとが接離する際にアークが生じる場合がある。
【００４７】
このようなアークが生じた場合、アークは、永久磁石（磁界発生手段）５０によってアーク伸長空間Ｓに導かれる。すなわち、可動接点２１ａと固定接点２２ａとが接離する際に生じたアークは、アーク消弧部４０内の空間（アーク伸長空間Ｓ）に伸長される。このとき、アークは、アーク消弧部４０の内面をなめるように走行して伸長する。すなわち、アークは、アーク消弧部４０の内面に当接しながら伸長する。このため、アーク消弧部４０からアーク消弧性のガスが生じ、当該ガスによってアークが消弧されることとなる。
【００４８】
このように、本実施形態の電磁リレー１によれば、可動接点２１ａと固定接点２２ａとが接離する際に生じたアークを、アーク伸長空間Ｓに導き消弧させることができる。
【００４９】
以上、説明したように、本実施形態では、電磁リレー１に、可動接点２１ａと固定接点２２ａとが接離する際に生じるアークを伸長させるアーク伸長空間Ｓを形成している。
【００５０】
また、電磁リレー１に、可動接点２１ａと固定接点２２ａとが接離する際に生じるアークを、アーク伸長空間Ｓに導く永久磁石（磁界発生手段）５０を設けている。このように、永久磁石（磁界発生手段）５０を設けることで、可動接点２１ａと固定接点２２ａとが接離する際に生じるアークのアーク長をより長くすることができ、アーク消弧性能（アーク遮断性能）をより高めることができる。
【００５１】
したがって、本実施形態によれば、可動接点２１ａと固定接点２２ａとが接離する際に発生するアークをより確実に遮断することができる。そのため、接点の信頼性（可動接点２１ａと固定接点２２ａとの接触および離間の信頼性）を損ねてしまうのを抑制することができる。
【００５２】
なお、壁部２ａを設けることで、固定接点２２ａと絶縁部１７とを画成することができるため、可動接点２１ａと固定接点２２ａとが接離する際に発生したアークが、絶縁体１７に当接してしまうのを抑制することができる。したがって、絶縁性の気体が固定接点２２ａや可動接点２１ａに付着してしまうのを抑制することができるようになる。その結果、固定接点２２ａと可動接点２１ａとの間の導通性が阻害されてしまうのを抑制することができる。
【００５３】
また、本実施形態によれば、アーク伸長空間Ｓ内の固定接点部２２の周囲にアーク消弧部４０を設けている。そのため、アーク消弧部４０の内面に当接しながら伸長するアークによって、アーク消弧性のガスを生じさせることが可能となり、アーク消弧性能（アーク遮断性能）をより一層高めることができるようになる。
【００５４】
また、本実施形態によれば、可動接点２１は、接極子１６の垂設片１６ｂから下方（一端）に向けて延在する第１の延設片２１ｂと、当該第１の延設片２１ｂの先端から後方（第１の延設片２１ｂと公差する方向）に延設された第２の延設片２１ｃと、を備えている。さらに、第２の延設片２１ｃの先端から上側（他端側）に延設された第３の延設片２１ｄと、を備えており、この第３の延設片２１ｄに可動接点２１ａが形成されている。そのため、絶縁部１７に邪魔されることなくアーク伸長空間Ｓを接点の上方に形成することができ、電磁リレー１の構成の簡素化を図ることができる。さらに、電磁リレー１の接点部が形成される部位の上方の空間を有効利用することができ、電磁リレー１の小型化を図ることが可能となる。
【００５５】
また、本実施形態によれば、壁部２ａおよびアーク消弧部４０の前壁４１には、開口部２ｃおよび開口部４１ａがそれぞれ形成されており、可動接点２１ａが形成された第３の延設片２１ｄをアーク伸長空間Ｓ内に挿入できるようにしている。このように、可動接点２１ａが揺動できる範囲に開口部２ｃおよび開口部４１ａを設けることで、アークの絶縁体１７への当接を抑制しつつ、アーク伸長空間Ｓに導かれたアークが外部に漏れてしまうのを抑制することができ、アーク消弧性能（アーク遮断性能）をより一層高めることができるようになる。また、可動接点２１ａを揺動させる際に、アーク伸長空間Ｓを画成する壁部が可動接点２１ａの揺動を邪魔しないように、可動接点部２１を壁部２ａおよびアーク消弧部４０の前壁４１を迂回させて設ける必要がなくなる。そのため、壁部２ａおよびアーク消弧部４０の前壁４１に開口部２ｃおよび開口部４１ａを形成しない場合に較べて、電磁リレー１の高さ方向の小型化を図ることができるようになる。
【００５６】
（第２実施形態）
本実施形態にかかる電磁リレー１Ａは、上記第１実施形態の電磁リレー１と同様の構成をしている。
【００５７】
すなわち、本実施形態にかかる電磁リレー１Ａは、ケース２、ベース３０、電磁石ブロック１０、接極子１６、可動接点部２１および固定接点部２２を備えている。
【００５８】
そして、本実施形態においても、電磁リレー１Ａに、可動接点２１ａと固定接点２２ａとが接離する際に生じるアークを伸長させるアーク伸長空間Ｓを形成している。この壁部２ａは、固定接点２２ａと絶縁部１７とを画成している。
【００５９】
具体的には、上記第１実施形態と同様に、ケース２の内側に、壁部２ａおよび側壁２ｂを設けている。そして、各部材を取り付けたベース３０をケース２で覆った際に、一対の対応する可動接点２１ａおよび固定接点２２ａ（互いに接離する接点）が壁部２ａおよび側壁２ｂで囲われるようにしている。本実施形態においても、この壁部２ａ、側壁２ｂで仕切られた空間がアーク伸長空間Ｓとなっている。このとき、壁部２ａによって固定接点２２ａと絶縁部１７とが画成されることとなる。
【００６０】
さらに、電磁リレー１Ａには、可動接点２１ａと固定接点２２ａとが接離する際に生じるアークを、アーク伸長空間Ｓに導く永久磁石（磁界発生手段）５０が設けられている。
【００６１】
そして、この永久磁石（磁界発生手段）５０は、磁気遮断ヨーク６０によって、上方および幅方向両端が覆われている。
【００６２】
ここで、本実施形態においては、アーク伸長空間Ｓ内にアーク消弧部４０を設けないようにしている。
【００６３】
以上の本実施形態によっても、上記第１実施形態と同様の作用、効果を奏することができる。
【００６４】
なお、図８に示す電磁リレー１Ａにおいて、壁部２ａをアークが当接した際に、アーク消弧性ガスを発生しうる絶縁材料（上記第１実施形態で示したアーク消弧部４０と同一の材料）で形成し、壁部２ａがアーク消弧部を兼ねるようにしてもよい。また、ケース２全体を上記第１実施形態で示したアーク消弧部４０と同一の材料で形成してもよい。
【００６５】
（第３実施形態）
本実施形態にかかる電磁リレー１Ｂは、上記第２実施形態のアーク伸長空間Ｓ内にアーク消弧部４０を設けないようにした電磁リレー１Ａと略同様の構成を有している。
【００６６】
ここで、本実施形態の電磁リレー１Ｂが、上記第２実施形態の電磁リレー１Ａと主に異なる点は、図９に示すように、アーク伸長空間Ｓを分割する分離壁７０を設けたことにある。
【００６７】
具体的には、本実施形態にあっても、ケース２の内側に形成された壁部２ａと側壁２ｂとによって仕切られた空間がアーク伸長空間Ｓとなっている。そして、その仕切られた各アーク伸長空間Ｓには、一対の対応する可動接点２１ａおよび固定接点２２ａ（互いに接離する接点）が配置され、それぞれのアーク伸長空間Ｓごとに分離壁７０を設けている。
【００６８】
分離壁７０は、本実施形態では、ケース２の上壁部２ｄから固定接点２２ａ側に向けて突出して設けられており、アーク伸長空間ＳをアークＡの伸長方向に沿って縦に二分割している。
【００６９】
なお、本実施形態では、各アーク伸長空間Ｓごとに１つの分離壁７０を設け、アーク伸長空間Ｓを二分割としたが、各アーク伸長空間Ｓごとに複数の分離壁７０を設け、アーク伸長空間Ｓを三分割以上とするようにしてもよい。
【００７０】
以上の本実施形態によっても、上記第１および第２実施形態と同様の作用、効果を奏することができる。
【００７１】
また、本実施形態では、アーク伸長空間Ｓを分割する分離壁７０を設けている。そのため、分離壁７０を回り込ませることができるようになる分、上記第１および第２実施形態よりも、アークＡ長をより長くすることができ、アーク消弧性能（アーク遮断性能）をより高めることができる。
【００７２】
また、このようにアーク消弧性能（アーク遮断性能）を高められることは、可動接点２１ａと固定接点２２ａ間で遮断することができる遮断電圧である両接点２１ａ、２２ａ間に発生する電圧を高められるという利点がある。
【００７３】
さらにまた、本実施形態では、ケース２の内側に形成された壁部２ａと側壁２ｂとによって仕切られた空間をアーク伸長空間Ｓとし、そのアーク伸長空間Ｓに分離壁７０を設けている。そのため、アーク伸長空間Ｓを、上記第１および第２実施形態と同様の消弧スペース寸法としつつ、アークＡ長を長くとることができるという利点もある。したがって、ケース２の小型化に繋がる。
【００７４】
（第４実施形態）
本実施形態にかかる電磁リレー１Ｃは、上記第３実施形態のアーク伸長空間Ｓを分割する分離壁７０を設けるようにした電磁リレー１Ｂと略同様の構成を有している。
【００７５】
ここで、本実施形態の電磁リレー１Ｃが、上記第３実施形態の電磁リレー１Ｂと主に異なる点は、図１０に示すように、アーク伸長空間Ｓと面する壁面に凹凸部７３を設けたことにある。
【００７６】
具体的には、本実施形態にあっても、ケース２の内側に形成された壁部２ａと側壁２ｂとによって仕切られた空間がアーク伸長空間Ｓとなっている。そして、その仕切られた各アーク伸長空間Ｓには、一対の対応する可動接点２１ａおよび固定接点２２ａ（互いに接離する接点）が配置され、それぞれのアーク伸長空間Ｓごとに分離壁７０と凹凸部７３とを設けている。
【００７７】
凹凸部７３は、本実施形態では、アーク伸長空間Ｓと面する壁面としてケース２の上壁部２ｄの内面に形成されている。そして、このようにケース２の上壁部２ｄに分離壁７０を挟んで左右両側に凹凸部７３を設けることで、アークＡの伸長方向に沿って凹凸部７３の凹面ならびに凸面が形成されるようにしている。
【００７８】
以上の本実施形態によっても、上記第１〜第３実施形態と同様の作用、効果を奏することができる。
【００７９】
また、本実施形態では、アーク伸長空間Ｓと面する壁面に凹凸部７３を設けている。そのため、凹凸部７３を回り込ませることができるようになる分、上記第３実施形態よりも、アークＡ長をより長くすることができ、アーク消弧性能（アーク遮断性能）をより高めることができる。また、上記第３実施形態に対して、遮断電圧もより高めることができる。
【００８０】
さらにまた、本実施形態では、凹凸部７３をアークＡの伸長方向に沿って形成したので、アークＡを凹凸部７３により確実に入り込ませることができ、アークＡ長を確実に長くとることができる。
【００８１】
なお、本実施形態では、特徴部分である凹凸部７３を分離壁７０を設けた上記第３実施形態に適用するようにしたが、分離壁７０を設けない上記第１および第２実施形態にあっても適用可能である。
【００８２】
（第５実施形態）
本実施形態にかかる電磁リレー１Ｄは、上記第２実施形態のアーク伸長空間Ｓ内にアーク消弧部４０を設けないようにした電磁リレー１Ａと略同様の構成を有している。
【００８３】
ここで、本実施形態の電磁リレー１Ｄが、上記第２実施形態の電磁リレー１Ａと主に異なる点は、図１１に示すように、アーク伸長空間Ｓ１、Ｓ２を分割する分離壁７０Ａを設けたことにある。
【００８４】
具体的には、本実施形態では、壁部２ａの下側に形成される開口部２ｃを上記第２実施形態よりも上側に広くとっている。そして、壁部２ａを分離壁７０Ａとして機能させ、分離壁７０Ａから固定接点２２ａ側（図１１の右側）の空間を第１のアーク伸長空間Ｓ１とし、分離壁７０Ａから可動接点板２３側（図１１の左側）の空間を第２のアーク伸長空間Ｓ２としている。したがって、本実施形態では、一対の対応する可動接点２１ａおよび固定接点２２ａに対応して複数の第１のアーク伸長空間Ｓ１が形成されるのに対し、第２のアーク伸長空間Ｓ２は、ケース２の内側に１つだけ形成されて共有することになる。
【００８５】
以上の本実施形態によっても、上記第１〜第４実施形態と同様の作用、効果を奏することができる。
【００８６】
また、本実施形態では、アーク伸長空間Ｓ１、Ｓ２を分割する分離壁７０Ａを設けている。そのため、分離壁７０Ａを回り込ませることができるようになる分、上記第１〜第４実施形態よりも、アークＡ長をより長くすることができ、アーク消弧性能（アーク遮断性能）をより高めることができる。また、上記第１〜第４実施形態に対して、遮断電圧もより高めることができる。
【００８７】
なお、本実施形態では、分離壁７０Ａによってアーク伸長空間Ｓ１、Ｓ２を二分割としたが、例えば、第１のアーク伸長空間Ｓ１に上記第３実施形態の分離壁７０を追加して、アーク伸長空間を三分割以上とするようにしてもよい。
【００８８】
（第６実施形態）
本実施形態にかかる電磁リレー１Ｅは、上記第５実施形態のアーク伸長空間Ｓ１、Ｓ２を分割する分離壁７０Ａを設けるようにした電磁リレー１Ｄと略同様の構成を有している。
【００８９】
ここで、本実施形態の電磁リレー１Ｅが、上記第５実施形態の電磁リレー１Ｄと主に異なる点は、図１２に示すように、アーク伸長空間Ｓ１、Ｓ２と面する壁面に凹凸部７３を設けたことにある。
【００９０】
具体的には、本実施形態にあっても、壁部２ａの下側に形成される開口部２ｃを上側に広くとり、壁部２ａを分離壁７０Ａとして機能させている。そして、分離壁７０Ａから固定接点２２ａ側の空間を第１のアーク伸長空間Ｓ１とし、分離壁７０Ａから可動接点板２３側の空間を第２のアーク伸長空間Ｓ２とし、これら第１と第２のアーク伸長空間Ｓ１、Ｓ２のそれぞれに凹凸部７３を設けている。
【００９１】
凹凸部７３は、本実施形態では、アーク伸長空間Ｓ１、Ｓ２と面する壁面としてケース２の上壁部２ｄの内面と、ベース３０の中央壁３５の可動接点板２３側の面とにそれぞれ形成されている。そして、これら一対の凹凸部７３は、いずれもアークＡの伸長方向に沿って凹凸部７３の凹面ならびに凸面が形成されるようにしている。
【００９２】
以上の本実施形態によっても、上記第１〜第５実施形態と同様の作用、効果を奏することができる。
【００９３】
また、本実施形態では、アーク伸長空間Ｓ１、Ｓ２と面する壁面に凹凸部７３を設けている。そのため、凹凸部７３を回り込ませることができるようになる分、上記第５実施形態よりも、アークＡ長をより長くすることができ、アーク消弧性能（アーク遮断性能）をより高めることができる。また、上記第５実施形態に対して、遮断電圧もより高めることができる。
【００９４】
さらにまた、本実施形態では、凹凸部７３をアークＡの伸長方向に沿って形成したので、アークＡを凹凸部７３，７３により確実に入り込ませることができ、アークＡ長を確実に長くとることができる。
【００９５】
以上、本発明の好適な実施形態について説明したが、本発明は上記実施形態には限定されず、種々の変形が可能である。
【００９６】
例えば、上記各実施形態では、絶縁部を介して可動接点部が接極子に取り付けられたものを例示したが、絶縁部を介さずに可動接点部を接極子に取り付けるようにしてもよい。
【００９７】
また、接極子やヒンジばね、その他細部のスペック（形状、大きさ、レイアウト等）も適宜に変更可能である。
【符号の説明】
【００９８】
１，１Ａ  電磁リレー
２ａ  壁部
２ｃ  開口部
１０  電磁石ブロック
１６  接極子
２１  可動接点部
２１ａ  可動接点
２１ｂ  第１の延設片
２１ｃ  第２の延設片
２１ｄ  第３の延設片
２２  固定接点部
２２ａ  固定接点
２３  可動接点板
２４  可動ばね
２５  固定接点板
４０  アーク消弧部
５０  永久磁石（磁界発生手段）
７０、７０Ａ  分離壁
７３  凹凸部
Ｓ、Ｓ１、Ｓ２  アーク伸長空間
【図１】
0005984087.tif 000002
【図２】
0005984087.tif 000003
【図３】
0005984087.tif 000004
【図４】
0005984087.tif 000005
【図５】
0005984087.tif 000006
【図６】
0005984087.tif 000007
【図７】
0005984087.tif 000008
【図８】
0005984087.tif 000009
【図９】
0005984087.tif 000010
【図１０】
0005984087.tif 000011
【図１１】
0005984087.tif 000012
【図１２】
0005984087.tif 000013